(57)【要約】      （修正有）【課題】通行案内用の表示パネルの高さを調節できる昇降調節型表示板を提供する。【解決手段】表示板は、表面に表示部を設けた表示パネル１と、該表示パネル１を着脱可能に取付けて通行路側に向って支持する取付部材９とを備え、表示パネル１と取付部材９の一方の側に上下方向のレール部材８を設け、他方の側に該レール部材８に係合し表示パネル１を昇降スライド可能に支持するガイド部材を設けるとともに、上記ガイド部材とレール部材８とを所定の高さ位置で締着固定する固定手段１３ａを設け、レール部材８とガイド部材は表示パネル１と取付部材９の左右両端側にそれぞれ設けている。【選択図】図１
0003223378.tif 000002
【実用新案登録請求の範囲】
【請求項１】
表面に表示部を設けた表示パネル（１）と、該表示パネル（１）を着脱可能に取付けて通行路側に向って支持する取付部材（９）とを備え、表示パネル（１）と取付部材（９）の一方の側に上下方向のレール部材（８）を設け、他方の側に該レール部材（８）に係合し表示パネル（１）を昇降スライド可能に支持するガイド部材（１２ａ）を設けるとともに、上記ガイド部材（１２ａ）とレール部材（８）とを所定の高さ位置で締着固定する固定手段（１３ａ）を設けてなる昇降調節型表示板。
【請求項２】
レール部材（８）とガイド部材（１２ａ）を表示パネル（１）と取付部材（９）の左右両端側にそれぞれ設けた請求項１に記載の昇降調節型表示板。
【請求項３】
固定手段（１３ａ）がレール部材（８）に対しガイド部材（１２ａ）を締着固定する蝶ねじである請求項１又は２に記載の昇降調節型表示板。
【請求項４】
レール部材（８）を表示パネル（１）の背面側に、ガイド部材（１２ａ）を取付部材（９）の表面側に設けてなる請求項１〜３のいずれかに記載の昇降調節型表示板。
【請求項５】
取付部材（９）が床面上に配置される取付フレームを備えたスタンド（３）である請求項１〜４のいずれかに記載の昇降調節型表示板。
【請求項６】
レール部材（８）が表示パネル（１）を挿脱交換可能に収容する表示フレーム（２）に設けられた請求項１〜５のいずれかに記載の昇降調節型表示板。
【請求項７】
表示フレーム（２）がすべての内角が直角の額縁状の四角形で、少なくとも一辺の外周壁に表示パネル（１）の外周側からの差込み及び抜取りのために開閉可能な開閉カバー（６ｂ）を設けた請求項６に記載の昇降調節型表示板。
【請求項８】
取付部材（９）を構成する取付フレームの左右の縦杆の上端又は上下方向の途中に横設する横杆（２２）を上記縦杆の背面よりセットバックさせて表示パネル（１）及び上記縦杆との間にセットバックスペース（２３）を設け、表示パネル（１）の背面に取付けた突起物の昇降通過を許容する機構とした請求項１〜５のいずれかに記載の昇降調節型表示板。
【考案の詳細な説明】
【技術分野】
【０００１】
この考案は、通行用の表示パネルの高さの調節が可能な昇降調節型表示板に関する。
【背景技術】
【０００２】
従来一般道や高速道路等のドライバーや通行人に対して工事，交通事故，災害，渋滞等の注意や警告その他の通行案内表示として特許文献１，同２に示すような定置型の矢印板や立看板の他、ポールやガードレール等に取付けられる各種の交通案内用の表示板が広く知られている。
【先行技術文献】
【特許文献】
【０００３】
【特許文献１】実用新案登録第３２１３７３６号公報
【特許文献２】実用新案登録第３２１３９２１号公報
【考案の概要】
【考案が解決しようとする課題】
【０００４】
上記のような表示板の内、特許文献１に示すような汎用形のものは一般的に屋外での突風や車両の風圧又は取扱いの便宜等の理由で床面からの高さが低く形成されるものが多く、運転席の高いトラックや大型車等のドライバーの高い目線からは視認し辛いという欠点がある一方で、特許文献２に示すような縦長の立看板は、高座席からも見易いが大型化して重量もあるため、大型や中型車、少なくともトラック輸送が必要である等取扱いが不便であるという欠点がある。
【０００５】
またポールやガードレールに取付ける道路近傍用の固定タイプの表示板も高さが固定的であるため、座席の高低差のある例えば一般乗用車やバス、トラックいずれのドライバー目線に合せるかにより異なる高さのものを用意する必要がある。
【課題を解決するための手段】
【０００６】
上記課題を解決するための本考案は、第１に、表面に表示部を設けた表示パネル１と、該表示パネル１を着脱可能に取付けて通行路側に向って支持する取付部材９とを備え、表示パネル１と取付部材９の一方の側に上下方向のレール部材８を設け、他方の側に該レール部材８に係合し表示パネル１を昇降スライド可能に支持するガイド部材１２ａを設けるとともに、上記ガイド部材１２ａとレール部材８とを所定の高さ位置で締着固定する固定手段１３ａを設けてなることを特徴としている。
【０００７】
第２に、レール部材８とガイド部材１２ａを表示パネル１と取付部材９の左右両端側にそれぞれ設けたことを特徴としている。
【０００８】
第３に、固定手段１３ａがレール部材８に対しガイド部材１２ａを締着固定する蝶ねじであることを特徴としている。
【０００９】
第４に、レール部材８を表示パネル１の背面側に、ガイド部材１２ａを取付部材９の表面側に設けてなることを特徴としている。
【００１０】
第５に、取付部材９が床面上に配置される取付フレームを備えたスタンド（３）であることを特徴としている。
【００１１】
第６に、レール部材８が表示パネル１を挿脱交換可能に収容する表示フレーム２に設けられたことを特徴としている。
【００１２】
第７に、表示フレーム２がすべての内角が直角の額縁状の四角形で、少なくとも一辺の外周壁に表示パネル１の外周側からの差込み及び抜取りのために開閉可能な開閉カバー６ｂを設けたことを特徴としている。
【００１３】
第８に、取付部材９を構成する取付フレームの左右の縦杆の上端又は上下方向の途中に横設する横杆２２を上記縦杆の背面よりセットバックさせて表示パネル１及び上記縦杆との間にセットバックスペース２３を設け、表示パネル１の背面に取付けた突起物の昇降通過を許容する機構としたことを特徴としている。
【考案の効果】
【００１４】
以上のように構成される本考案の表示板によれば、表示板の高さを表示内容や設置条件、対象とするドライバーの目線高さに応じて調整することができるので表示が適切になるほか、ドライバーの目線高さに応じた高さの表示板を用意する必要がなく、全体が小型化され、分解によりさらに取扱いが容易になるため、パトロールカー等の乗用車による持運びも可能となる利点がある。
【００１５】
また高さ調節は接地現場の条件や表示内容、対象とするドライバー等に応じて現場調節が容易に行えるという効果がある。
その他の効果は実施形態の説明中で詳述する。
【図面の簡単な説明】
【００１６】
【図１】本考案の表示板の全体背面図である。
【図２】表示板の拡大側断面図である。
【図３】表示板の拡大平断面図である。
【考案を実施するための形態】
【００１７】
図１〜図３は本考案の表示板の１実施形態を示し、内角が直角な四角形（正方形又は長方形）の耐水性の板材よりなる表示パネル１を、外周側から挿脱交換可能に差込み収容する角枡形の額縁状の表示フレーム２が、その背面側において折畳み可能なスタンド３に取付けられている。表示フレーム２，スタンド３共にアルミ押出成形材が用いられている。
【００１８】
表示パネル１はこの例では板厚２ｍｍ程度のアルミ板の表面にプラスチック製のプリズム型反射シート等からなる公知の反射シート（図示しない）が貼着されたものが表示面として使用されており、表示面には矢印等（図示しない）の表示部が表示されている。
【００１９】
表示フレーム２は図２，図３に示すように四辺がアルミ製角パイプをコーナーで連結固定したフレーム本体４の各辺の外周には円弧状又はチャンネル状断面を組合わせたダブルマウント形（又は「Ｅ」字形）断面に押出成形された固定カバー６ａと開閉カバー６ｂとが取付けられている。固定状態の固定カバー６ａと開閉カバー６ｂの正面側端部とフレーム本体４の正面側平坦面との間には、表示パネル１を差込み収容するための板厚相当の隙間が設けられ、開閉カバー６ｂは背面側端部とフレーム本体４の背との間で、弾力的に開閉回動可能にヒンジ７によって取付けられている。
【００２０】
図２，図３に示すようにこの例ではフレーム本体４の正面視右側辺と上辺外周に開閉カバー６ｂが取付けられ、左側辺と下辺外周に固定カバー６ａが取付けられていて、いずれかの開閉カバー６ｂを弾力に抗して押し広げた状態で、表示パネル１が当該辺側から差込み挿脱される。
【００２１】
差込まれた表示パネル１の２辺は各固定カバー６ａ及び開閉カバー６ｂの開閉端とフレーム本体４の正面との隙間内で保持される。この機構により、表示パネル１は例えば表示部としての矢印方向を差換え変更することや他の表示内容の表示パネル１と差換え交換することが簡単に行える利点がある。
【００２２】
上記表示フレーム２の背面の左右両端側には、上下方向に平行で背面側にスリット８ａ（図１参照）を形成したＣ型断面のレール部材８がリベット等により取付けられている。他方、スタンド３の表面側の表示フレーム取付部材を構成する正方形又は長方形の角枡状の取付フレーム９の左右両辺外側には、一定の上下間隔を介して一対のアングル状断面のブラケット１１が突設され、この４個のブラケット１１に、上記左右のレール部材８がそれぞれ上下方向に着脱可能に取付けられている。
【００２３】
各レール部材８の内部には、上下２個のブロック状のガイド部材１２ａ，１２ｂが上下摺動（スライド）可能に収容されており、図示する例ではブラケット１１の背面側からレール部材８のスリット８ａを介してガイド部材１２ａ，１２ｂにねじ込まれるボルト１３ａ，１３ｂにより、ガイド部材１２は各ブラケット位置でレール部材８を昇降スライド可能に支持している。その結果表示フレーム２はレール部材８の下部突出長さと取付フレーム９の高さ及びブラケット１１の取付位置とで許容されるストローク量の範囲内で上下スライドできる。
【００２４】
上記上下のガイド部材１２ａ，１２ｂの内、下側のガイド部材１２ｂは、ボルト１３ｂによって締着されることにより、レール部材８を常時昇降スライド可能に支持するのに対し、上側のガイド部材１２ａは、ボルト１３ａを緩めた時にレール部材８の昇降スライドを許容し、これを締付けた際はレール部材８自体を取付フレーム９側に締着固定し、レール部材８及び表示フレーム２の高さを任意の位置で位置決め固定する固定手段となる。
【００２５】
この固定と固定解除は、表示フレーム２の高さ調節の都度頻繁に行われるため、本例ではボルト１３ａには、スパナ等の工具を必要としない蝶ねじが使用され、この蝶ねじはボルトでもナットでも良い。この機構により表示フレーム２は、昇降スライドのストローク範囲で高さ調節が可能で、任意の高さで位置決めセットできる。図示する例ではレール部材８を昇降スライドさせる無段階調節可能な構造としたが、レール部材８側に多数段のボルト孔（図示しない）を設け、多段階の段階的な調整機構とすることもできる。
【００２６】
スタンド３は図１に示すように取付フレーム９の背面側上端にＵ字形（又は上部開放型のコ字形）のサポートフレーム１４を、ブラケット１６を介して揺動可能に後向きに設けて側面視逆Ｖ字形に開脚されて床面上に配置される。取付フレーム９の下辺上には上下回動可能に軸支したラック状のストッパーフレーム１７が設けられ、サポートフレーム１４の下辺に上下揺動可能に前向きに軸支し、その揺動端をストッパーフレーム１７の前後中央に支点軸１９により連結したリンク１８が設けられて、スタンド３は折畳み可能に構成されている。１７ａはストッパーフレーム１７の先端に取付けられ、サポートフレーム１４の下辺に係止されるフックである。
【００２７】
この折畳みは、図１に示すようにリンク１８の支点軸１９を矢印ａ方向に回動させることによりストッパーフレーム１７を矢印ｂ方向に揺動させるとともに、サポートフレーム１４を矢印ｃ方向に揺動させ、逆Ｖ字形に開かれた取付フレーム９とサポートフレーム１４が平行に重ね合わせることによって行われる。
【００２８】
また取付フレーム９の左右の縦杆の上端と中途位置であってガイド部材１２ａ，１２ｂの取付用の上下のブラケット１１取付位置の内側には、Ｚ字形（セットバック形）断面のブラケット２１を介して左右方向の補強ビーム（横杆）２２が平行に架設されているが、この補強ビーム２２は、ブラケット２１の断面がセットバックしている寸法に応じて取付フレーム９の枠内よりセットバックして、表示パネル１及び縦杆の背面との間にセットバックスペース２３を形成している。
【００２９】
上記セットバックスペース２３を設けることにより、例えば多数のＬＥＤランプ等を正面側に配設した発光型の表示パネル１の場合で、表示パネル１の背面にバッテリー等の電源や制御装置（いずれも図示しない）その他の機器類を取付けて突起物を形成した場合でも、取付フレーム９の補強ビーム（横杆）２２が表示フレーム２及び表示パネル１の昇降を妨げることはない。
【００３０】
なおレール部材８，ガイド部材１２ａ，１２ｂ，固定手段１３ａは、取付部材９に対して表示パネル１が昇降調節及び位置決めセットができれば、図示する構造のものに限られない。
【符号の説明】
【００３１】
１      表示パネル
２      表示フレーム
３      スタンド
６ａ      固定カバー
６ｂ      開閉カバー
８      レール部材
９      取付部材（取付フレーム）
１２ａ，１２ｂ      ガイド部材
１３ａ      固定手段（蝶ねじ）
２２      横杆（補強ビーム）
２３      セットバックスペース
【図１】
0003223378.tif 000003
【図２】
0003223378.tif 000004
【図３】
0003223378.tif 000005